(57)【要約】【課題】印刷の生産性低下を抑制しつつ、加熱ロールの寿命を延ばすことができる画像形成装置及び画像形成プログラムを提供する。【解決手段】画像形成装置１００の定着ロール２０２には、搬送されてきた記録媒体１３８にトナー像を定着させるために第１のメインヒータ２０４及び第２のメインヒータ２０６を備えている。また、定着ロール２０２の外周に接触、又は離間する動作が可能であり、接触時に定着ロール２０２を加熱する第１のサブヒータ２１４を備えた第１の加熱ロール２１２、第２のサブヒータ２２４を備えた第２の加熱ロール２２２を有している。更に、定着ロール通電制御部４１０が第１のメインヒータ２０４及び第２のメインヒータ２０６を制御し、それらとは独立している第１のサブヒータ２１４及び第２のサブヒータ２２４は、加熱ロール通電制御部４１２及び加熱ロール動作制御部４２２によって制御され、定着ロール２０２の温度を制御する。【選択図】図４
2009025743.tif 000002
【特許請求の範囲】
【請求項１】
記録媒体を搬送しながら、当該記録媒体上に現像されたトナー像を定着させる定着ロールと、
前記定着ロールの内部に設けられ、前記定着ロールの外周面を加熱するメインヒータと、
前記定着ロールを補助的に加熱する加熱ロールと、
前記加熱ロールを前記定着ロールに対して接触、又は離間させる動作手段と、
前記加熱ロールの外周面を加熱するサブヒータと、
前記メインヒータの温度を制御する主温度制御手段と、
前記メインヒータとは独立して、前記サブヒータの温度を制御する副温度制御手段と、
前記副温度制御手段による温度制御が必要ないときに、前記動作手段を制御して前記加熱ロールを前記定着ロールから離間させる加熱ロール移動制御手段と、
を有する画像形成装置。
【請求項２】
前記副温度制御手段による温度制御が必要ないときは、所定時間画像形成処理が行われないときから、次の画像形成処理の開始が確認されるまでの待機モード期間であることを特徴とする請求項１記載の画像形成装置。
【請求項３】
前記定着ロール及び前記加熱ロールには、それぞれの外周面の温度を検知する外周面温度センサが設置されていることを特徴とする請求項１又は請求項２記載の画像形成装置。
【請求項４】
前記主温度制御手段は、第１の所定時間に基づいて、電源を切って通電させないことで温度を制御することを特徴とする請求項１から請求項３記載のいずれか１項記載の画像形成装置。
【請求項５】
前記副温度制御手段は、第２の所定時間に基づいて、電源を切って通電させないことで温度を制御することを特徴とする請求項１から請求項４のいずれか１項記載の画像形成装置。
【請求項６】
前記第１の所定時間よりも前記第２の所定時間の方が短いことを特徴とする請求項５記載の画像形成装置。
【請求項７】
印刷するためのデータを受信して、トナー像が現像された前記記録媒体が搬送されたとき、所定の基準位置における前記記録媒体の搬送タイミングに基づいて、前記副温度制御手段によって前記加熱ロールを温度制御し、前記動作手段によって前記加熱ロールを動作制御することを特徴とする請求項１から請求項６記載の画像形成装置。
【請求項８】
印刷するためのデータを受信して、トナー像が現像された前記記録媒体が搬送されたとき、前記記録媒体の種類に応じて、前記副温度制御手段によって前記加熱ロールを温度制御し、前記動作手段によって前記加熱ロールを動作制御することを特徴とする請求項１から請求項７記載のいずれか１項記載の画像形成装置。
【請求項９】
記録媒体を搬送しながら、前記記録媒体を、逐次、定着ロールの外周部に接触させ、当該記録媒体上に現像されたトナー像を定着させる定着工程と、
前記定着ロールの内部に設けられたメインヒータによって、前記定着ロールの外周面を加熱する定着ロール加熱工程と、
前記定着ロールを加熱ロールによって、補助的に加熱する加熱工程と、
前記加熱ロールを前記定着ロールに対して接触、又は離間させる動作工程と、
前記加熱ロールの内部に設けられたサブヒータによって、前記加熱ロールの外周面を加熱する加熱ロール加熱工程と、
前記メインヒータの温度を制御する主温度制御工程と、
前記メインヒータとは独立して、前記サブヒータの温度を制御する副温度制御工程と、
前記副温度制御工程による温度制御が必要ないときに、前記動作工程を制御して前記加熱ロールを前記定着ロールから離間させる加熱ロール移動制御工程と、
を有する画像形成プログラム。
【発明の詳細な説明】
【技術分野】
【０００１】
本発明は、画像形成装置及び画像形成プログラムに係り、特に加熱ロールに関する。
【背景技術】
【０００２】
画像形成装置では、画像情報に基づいて形成された静電潜像をトナーで現像し、顕像化されたトナー像を転写された記録媒体に定着させるための定着装置が備えられている。
【０００３】
定着装置としては、例えば、定着部材として内部にヒータを有する定着ロールと加圧部材である加圧ロール（内部にヒータを有するものもある）とを接触させたものがある。
【０００４】
ところで、非画像形成動作中、外部加熱部材の発熱手段の設定温度を、外部加熱部材と接触する定着部材、又は加圧部材の発熱手段の設定温度と同温度に設定している。そこで、画像形成作動開始直後に発生する表面温度の急激な低下を温度センサが素早く検出し、少なくとも外部加熱部材が内蔵するヒータの作動を早める。従って、外部加熱部材が接触する定着部材又は加圧部材の表面温度の回復を早め、定着不良の発生を抑制し、高速で高画質な画像形成をすることができる構成が提案されている（特許文献１参照）。
【特許文献１】特開２００６−２２０６９７号公報
【発明の開示】
【発明が解決しようとする課題】
【０００５】
本発明は、印刷の生産性低下を抑制しつつ、加熱ロールの寿命を延ばすことができる画像形成装置及び画像形成プログラムを提供することを目的とする。
【課題を解決するための手段】
【０００６】
請求項１に記載の発明は、記録媒体を搬送しながら、当該記録媒体上に現像されたトナー像を定着させる定着ロールと、前記定着ロールの内部に設けられ、前記定着ロールの外周面を加熱するメインヒータと、前記定着ロールを補助的に加熱する加熱ロールと、前記加熱ロールを前記定着ロールに対して接触、又は離間させる動作手段と、前記加熱ロールの外周面を加熱するサブヒータと、前記メインヒータの温度を制御する主温度制御手段と、前記メインヒータとは独立して、前記サブヒータの温度を制御する副温度制御手段と、前記副温度制御手段による温度制御が必要ないときに、前記動作手段を制御して前記加熱ロールを前記定着ロールから離間させる加熱ロール移動制御手段と、を有している。
【０００７】
請求項２に記載の発明は、請求項１において、前記副温度制御手段による温度制御の必要がないときは、所定時間画像形成処理が行われないときから、次の画像形成処理の開始が確認されるまでの待機モード期間であることを特徴としている。
【０００８】
請求項３に記載の発明は、請求項１又は請求項２において、前記定着ロール及び前記加熱ロールには、それぞれの外周面の温度を検知する外周面温度センサが設置されていることを特徴としている。
【０００９】
請求項４に記載の発明は、請求項１から請求項３のいずれか１項において、前記主温度制御手段は、第１の所定時間に基づいて、電源を切って通電させないことで温度を制御することを特徴としている。
【００１０】
請求項５に記載の発明は、請求項１から請求項４のいずれか１項において、前記副温度制御手段は、第２の所定時間に基づいて、電源を切って通電させないことで温度を制御することを特徴としている。
【００１１】
請求項６に記載の発明は、請求項５おいて、前記第１の所定時間よりも前記第２の所定時間の方が短いことを特徴としている。
【００１２】
請求項７に記載の発明は、請求項１から請求項６のいずれか１項において、印刷するためのデータを受信して、トナー像が現像された前記記録媒体が搬送されたとき、所定の基準位置における前記記録媒体の搬送タイミングに基づいて、前記副温度制御手段によって前記加熱ロールを温度制御し、前記動作手段によって前記加熱ロールを動作制御することを特徴としている。
【００１３】
請求項８に記載の発明は、請求項１から請求項７のいずれか１項において、印刷するためのデータを受信して、トナー像が現像された前記記録媒体が搬送されたとき、前記記録媒体の種類に応じて、前記副温度制御手段によって前記加熱ロールを温度制御し、前記動作手段によって前記加熱ロールを動作制御することを特徴としている。
【００１４】
請求項９に記載の発明は、記録媒体を搬送しながら、前記記録媒体を、逐次、定着ロールの外周部に接触させ、当該記録媒体上に現像されたトナー像を定着させる定着工程と、前記定着ロールの内部に設けられたメインヒータによって、前記定着ロールの外周面を加熱する定着ロール加熱工程と、前記定着ロールを加熱ロールによって、補助的に加熱する加熱工程と、前記加熱ロールを前記定着ロールに対して接触、又は離間させる動作工程と、前記加熱ロールの内部に設けられたサブヒータによって、前記加熱ロールの外周面を加熱する加熱ロール加熱工程と、前記メインヒータの温度を制御する主温度制御工程と、前記メインヒータとは独立して、前記サブヒータの温度を制御する副温度制御工程と、前記副温度制御工程による温度制御が必要ないときに、前記動作工程を制御して前記加熱ロールを前記定着ロールから離間させる加熱ロール移動制御工程と、を有している。
【発明の効果】
【００１５】
以上説明したように、請求項１によれば、印刷の生産性低下を抑制しつつ、加熱ロールの寿命を延ばすことができるという効果が得られる。
【００１６】
さらに、請求項２によれば、消費電力を抑制しつつ、加熱ロールの寿命を延ばすことができるという効果が得られる。
【００１７】
また、請求項３によれば、定着ロール及び加熱ロールの寿命を延ばすことができるという効果が得られる。
【００１８】
さらに、請求項４によれば、消費電力を抑制しつつ、定着ロールの寿命を延ばすことができるという効果が得られる。
【００１９】
そして、請求項５によれば、消費電力を抑制しつつ、加熱ロールの寿命を延ばすことができるという効果が得られる。
【００２０】
また、請求項６によれば、加熱ロールの寿命を延ばすことができるという効果が得られる。
【００２１】
さらに、請求項７によれば、タイミングよく加熱ロールの温度を制御し、定着ロールの温度を効率よく制御することができるという効果が得られる。
【００２２】
また、請求項８によれば、記録媒体の種類に応じて加熱ロールの温度を制御し、定着ロールの温度を効率よく制御することができる。
【００２３】
さらに、請求項９によれば、印刷の生産性低下を抑制しつつ、加熱ロールの寿命を延ばすことができるという効果が得られる。
【発明を実施するための最良の形態】
【００２４】
図１には、本実施の形態に係る画像形成装置１００の全体構成が示されている。
【００２５】
画像形成装置１００は、その上部に画像読取部１０２と、画像読取部１０２の下部に設けられた画像形成部１０４によって構成されている。
【００２６】
（画像読取部１０２の構成）
図１に示されるごとく画像読取部１０２は装置本体１０６と装置本体上面に設けられたカバーユニット１０８とを備えている。カバーユニット１０８はその上部に箱型のＡＤＦ（Ａｕｔｏ  Ｄｏｃｕｍｅｎｔ  Ｆｅｅｄｅｒ：自動原稿送り装置）装置１１０が設けられている。ＡＤＦ装置１１０は原稿トレイ１１２に載置された原稿を引き込み反転させて原稿排出トレイ１１４へ排出する搬送系を有している。また、ＡＤＦ装置１１０は、搬送経路途中で原稿画像を読み取る読取センサ１１６を備えている。これにより、原稿が原稿トレイ１１２から原稿排出トレイ１１４に至るまでに原稿画像を読み取ることが可能となっている。なお、ＡＤＦ装置１１０では、引き込んだ原稿を表裏反転ならびに天地反転させて原稿の表裏面の画像を読み取ることも可能となっている。
【００２７】
前記原稿排出トレイ１１４は、プラテンカバー１１８としての機能を兼ね備えている。すなわち、原稿排出トレイ１１４の下面に弾性力を持つ白色の板材が貼り付けられ前記装置本体１０６の上面に設けられたプラテンガラス１２０と対峙するようになっている。プラテンガラス１２０には、原稿を載置することが可能となっており、前記ＡＤＦ装置１１０を使わないときの原稿画像読み取りに適用される。
【００２８】
装置本体１０６には、光源１２２と反射ミラー１２４を備えた第１の移動ユニット１２６と一対の反射ミラー１２８、１３０を備えた第２の移動ユニット１３２とを有している。第１の移動ユニット１２６及び第２の移動ユニット１３２はそれぞれ前記プラテンガラス１２０の下面側を移動するようになっている。
【００２９】
第１の移動ユニット１２６では前記移動の際にプラテンガラス上に載置された原稿画像に対して光を照射するとともにその反射光を反射ミラー１２４で受け、第２の移動ユニット１３２の一方の反射ミラー１２８へ案内する。第２の移動ユニット１３２では一方の反射ミラー１２８で受けた光を他方の反射ミラー１３０で反射させ、レンズユニット１３４を介してＣＣＤラインセンサ１３６へ案内する。
【００３０】
なお、第１の移動ユニット１２６と第２の移動ユニット１３２では、原稿画像からＣＣＤラインセンサ１３６までの光路長を一定にするべく第１の移動ユニット１２６の移動距離に対して第２の移動ユニット１２８が、その１／２だけ同一時間内に移動するようになっている。
【００３１】
また、前記ＡＤＦ装置１１０を使用した時の原稿読み取り時は、第１の移動ユニット１２６及び第２の移動ユニット１３２は共に図１の左端（ホームポジション）に位置される。
【００３２】
（画像形成部１０４の構成）
画像形成部１０４は、前記画像読取部１０２のＣＣＤラインセンサ１３６によって、読み取られた文字データ又は画像データ、あるいは、ネットワーク上のクライアントＰＣ７０２（図７参照）等から送信されてくる文字データ又は画像データ等に基づいて所定の記録媒体１３８に画像を形成する役目を有している。
【００３３】
画像形成部１０４は、矩形の筐体１４０によって全体が覆われており、その上面が前記記録媒体１３８の排出トレイ１４２となっている。
【００３４】
筐体１４０内には、画像形成のための各部品が配設されており、その主要部品である感光体ドラム１４４の周囲には、当該感光体ドラム１４４の回転方向上流側から順に帯電部１４６、光走査装置１４８、現像部１５０、転写部１５２、及びクリーニング部１５４が設けられている。
【００３５】
すなわち、帯電部１４６によって感光体ドラム１４４の表面を一様に帯電した後、光走査装置１４８からの光ビームの照射により静電潜像を形成し、現像部１５０により前記静電潜像へトナーを供給し、現像する（トナー像）。
【００３６】
前記転写部１５２と感光体ドラム１４４との間には用紙トレイ１５６または手差しトレイ１５８から記録媒体１３８が搬送されて挟持されるようになっており、感光体ドラム１４４上のトナー像が記録媒体１３８に転写されるようになっている。なお、この転写部１５２の上流側近傍には、長さ寸法検出センサ２４が設けられており、手差しトレイ１５８上には幅寸法検出センサ２６が設けられている。転写された記録媒体１３８は、定着部１６０に送られ加熱及び加圧されることでトナー像が記録媒体１３８に定着され前記排出トレイ１４２に排出される。なお、本実施の形態では、筐体１４０の図１の左壁に設けられたサブ排出トレイ１４２にも記録媒体１３８を排出することが可能となっている。
【００３７】
さらに、定着部１６０の詳細図は図２に示す。
【００３８】
また、画像形成部１０４には、反転機構部１６２が設けられている。反転機構部１６２は前記定着部１６０を通過した記録媒体１３８（一方の面が画像形成済み）を所謂スイッチバック方式で前記転写部１５２の上流側に戻し、他方の面への画像形成を可能としている。なお、このとき記録媒体１３８は、表裏反転と共に搬送方向も反転される。
【００３９】
図２は、本実施の形態に係る図１の画像形成装置１００の定着部１６０の詳細図である。なお、図２では、定着部１６０を図１に対して時計回り方向に９０度回転させた状態を図示している。
【００４０】
定着部１６０は、搬送部２４０、定着ロール２０２、第１の加熱ロール２１２、及び第２の加熱ロール２２２で構成されている。
【００４１】
また、搬送部２４０は、第１の搬送ロール２５２、第２の搬送ロール２６２、第３の搬送ロール２７２、及び加圧ベルト２８０で構成されている。なお、第１の搬送ロール２５２には、ＩＲヒータ２５４（ＩＲ  Ｌａｍｐ）が内蔵されており、第１の搬送ロール２５２の外周面の温度を検知する外周面温度センサ（以下、第４の表面温度センサと呼ぶ）２５８も取り付けられている。そして、第１の搬送ロール２５２に内蔵されているＩＲヒータ２５４をオン又はオフすることによって、第１の搬送ロールの温度を調整することが可能になり、その温度は、第４の表面温度センサ２５８によって計測することができる。
【００４２】
さらに、搬送部２４０では、第１の搬送ロール２５２、第２の搬送ロール２６２、及び第３の搬送ロール２７２の外周に加圧ベルト２８０が張られている。そして、記録媒体１３８が、第１の搬送ロール２５２によって加熱させられながら、矢印Ａ方向（一点鎖線で示した矢印Ａ方向）に沿って、加圧ベルト２８０により、送られる。
【００４３】
また、定着ロール２０２には、第１のメインヒータ２０４（ＨＲ  Ｍａｉｎ  Ｌａｍｐ）及び第２のメインヒータ２０６（ＨＲ  Ｓｕｂ  Ｌａｍｐ）が内蔵されており、定着ロール２０２の外周面の温度を検知する外周面温度センサ（以下、第１の表面温度センサと呼ぶ）２０８も取り付けられている。そして、第１の搬送ロール２５２と同様に、第１のメインヒータ２０４及び第２のメインヒータ２０６をオン又はオフすることによって、定着ロール２０２の温度を調整することが可能になり、その温度は、第１の表面温度センサ２０８によって計測することもできる。
【００４４】
さらに、第１の加熱ロール２１２には、第１のサブヒータ２１４（ＥＲ  Ｌａｍｐ１）が内蔵されており、加熱ロール２１２の外周面の温度を検知する外周面温度センサ（以下、第２の表面温度センサと呼ぶ）２１８も取り付けられている。また、第２の加熱ロール２２２（ＥＲ  Ｌａｍｐ２）には、第２のサブヒータ２２４が内蔵されており、第２の加熱ロール２２２の外周面の温度を検知する外周面温度センサ（以下、第３の表面温度センサと呼ぶ）２２８も取り付けられている。さらに、第１の加熱ロール２１２は、第１のサブヒータ２１４をオン又はオフすることによって、第１の加熱ロール２１２の温度を調整することが可能になり、その温度は、第２の表面温度センサ２１８によって計測することができる。また、第２の加熱ロール２２２は、第２のサブヒータ２２４をオン又はオフすることによって、第２の加熱ロール２２２の温度を調整することが可能になり、その温度は、第３の表面温度センサ２２８によって計測することができる。
【００４５】
さらに、第１の加熱ロール２１２は矢印Ｂ方向（二点鎖線で示した矢印Ｂ方向）に沿って移動することが可能であり、第１の加熱ロール２１２は矢印Ｂ方向に沿って移動し、二点鎖線で図示しているように移動する。
【００４６】
同様に、第２の加熱ロール２２２は矢印Ｃ方向に沿って移動することが可能であり、第２の加熱ロール２２２は矢印Ｃ方向に沿って移動し、二点鎖線で図示しているように移動する。
【００４７】
そして、搬送部２４０は、加圧ベルト２８０で外周を張られた第３の搬送ロール２７２の一部と定着ロール２０２が接している。また、第１の加熱ロール２１２及び第２の加熱ロールもそれぞれの一部と定着ロール２０２と接している。なお、第１の加熱ロール２１２及び第２の加熱ロールは、矢印Ｂ方向及び矢印Ｃ方向に移動することにより、定着ロール２０２と接触又は離間する（離される）。
【００４８】
以下、この定着部１６０の基本的な動作を説明する。
【００４９】
トナー像が転写された記録媒体１３８が矢印Ａ方向に沿って、加圧ベルト２８０上を搬送される際、ＩＲヒータ２５４によって加熱させられた（第４の表面温度センサ２５８で計測され、１８０℃前後に調整されている）第１の搬送ロール２５２でトナー像が転写された記録媒体１３８を加熱する。そして、第１のメインヒータ２０４及び第２のメインヒータ２０６で加熱させられた（第１の表面温度センサ２０８で計測され、１８０℃前後に調整されている）定着ロール２０２と搬送部２４０と接しているところで、記録媒体１３８に転写されたトナー像が加熱され、圧力をかけられることによって、定着される。
【００５０】
そこで、記録媒体１３８に転写されたトナー像の定着の際には、記録媒体１３８の厚み、長さ又は枚数（例えば、２枚目、３枚目以降）等を要因として定着ロール２０２の定着温度が低下してしまうので、第１のサブヒータ２１４を内蔵している第１の加熱ロール２１２によって定着ロール２０２を補助的に加熱している。また、第１のサブヒータ２１４を内蔵している第１の加熱ロール２１２においては、第２の表面温度センサ２１８で計測され、定着ロール２０２より２０℃〜３０℃程度高温である２００℃前後に調整されている。
【００５１】
さらに、第２のサブヒータ２２４を内蔵している第２の加熱ロール２２２によっても定着ロール２０２を補助的に加熱しており、第１の加熱ロール２１２と同様に、第３の表面温度センサ２２８で計測され、定着ロール２０２より２０℃〜３０℃程度高温である２００℃前後に調整されている。
【００５２】
なお、ＩＲ  Ｌａｍｐは、Ｉｎｔｅｒｎａｌ（Ｉｎｆｒａｒｅｄ）  Ｒｏｌｌ  Ｌａｍｐの略であり、内部ロール用のランプを内蔵した赤外線を用いた赤外ランプである。また、ＨＲ  Ｍａｉｎ  Ｌａｍｐは、Ｈｅａｔ（Ｈａｌｏｇｅｎ）  Ｒｏｌｌ  Ｍａｉｎ  Ｌａｍｐの略であり、ＨＲ  Ｓｕｂ  Ｌａｍｐは、Ｈｅａｔ（Ｈａｌｏｇｅｎ）  Ｒｏｌｌ  Ｓｕｂ  Ｌａｍｐの略であり、ヒートロールと呼ばれ、メイン（主）とサブ（副）で用いられるハロゲンランプである。さらに、ＥＲ  Ｌａｍｐ１及びＥＲ  Ｌａｍｐ２は、Ｅｘｔｅｒｎａｌ  Ｒｏｌｌ  Ｌａｍｐの略であり、外部ロール用のランプ（ハロゲンランプでも赤外線ランプでもよい）を内蔵した加熱ロールのためのランプである。
【００５３】
図３は、本実施の形態に係る図２における定着部１６０の制御ブロック図３００である。
【００５４】
制御ブロック図３００は、制御部３１０、Ｆｕｓｅｒ（１）３２０、Ｆｕｓｅｒ（２）３３０、環境ＳＮＲ（Ｓｉｇｎａｌ  ｔｏ  Ｎｏｉｓｅ  Ｒａｔｉｏ：信号対雑音比）３４０、定着部継電器（Ｆｕｓｅｒ  Ｒｅｌａｙのことであり、以下、定着部継電器と呼ぶ）３５０で構成されている。
【００５５】
さらに、制御ブロック図３００では、制御部３１０とＦｕｓｅｒ（２）３３０を接続するため、制御部３１０とＦｕｓｅｒ（２）３３０の間に、第１の半導体リレー３６０ａ（ＨＲ  Ｍａｉｎ  Ｌａｍｐ  ＳＳＲ）及びＡＣ２００Ｖの第１の交流電源３７０ａを挿入して構成されている。
【００５６】
また、制御部３１０とＦｕｓｅｒ（２）３３０を接続するため、制御部３１０とＦｕｓｅｒ（２）３３０の間に、第２の半導体リレー３６０ｂ（ＨＲ  Ｓｕｂ  Ｌａｍｐ  ＳＳＲ）、ＡＣ２００Ｖの第２の交流電源３７０ｂを挿入して構成されている。
【００５７】
さらに、制御部３１０とＦｕｓｅｒ（２）３３０を接続するため、制御部３１０とＦｕｓｅｒ（２）３３０の間に、第３の半導体リレー３６０ｃ（ＥＲ  Ｌａｍｐ  Ｌａｍｐ  ＳＳＲ）、ＡＣ２００Ｖの第３の交流電源３７０ｃを挿入して構成されている。
【００５８】
また、制御部３１０とＦｕｓｅｒ（２）３３０を接続するため、制御部３１０とＦｕｓｅｒ（２）３３０の間に、第４の半導体リレー３６０ｄ（ＩＲ  Ｌａｍｐ  ＳＳＲ）、ＡＣ２００Ｖ〜ＡＣ２４０Ｖの第４の交流電源３７０ｄを挿入して構成されている。
【００５９】
なお、Ｆｕｓｅｒ（１）３２０及びＦｕｓｅｒ（２）３３０は、定着器（Ｆｕｓｅｒ）を意味しており、それぞれ、定着部１６０の一部であり、定着部１６０に含まれて存在している。
【００６０】
制御部３１０の入力（ＩＮＰＵＴ）側では、Ｆｕｓｅｒ（１）３２０及び環境ＳＮＲ３４０で構成されている。また、定着部１６０に内蔵されているＦｕｓｅｒ（１）３２０は、第１の定着部分３２０とも呼び、定着ロール表面温度主制御センサ（ＳＴＳ  Ｃｏｎｔ  ＨＲ）３２０ａ、定着ロール表面温度副制御センサ（ＳＴＳ  Ｓｕｂ  ＨＲ）３２０ｂ、及び定着ロール保護センサ（ＳＴＳ  Ｏｖｅｒ  ＨＲ）３２０ｃを含んで構成されている。さらに、第１の定着部分３２０は、第１の加熱ロール表面温度制御センサ（ＳＴＳ  Ｃｏｎｔ  ＥＲ１）３２０ｄ、第１の加熱ロール保護センサ（ＳＴＳ  Ｏｖｅｒ  ＥＲ１）３２０ｅも含んで構成されている。そして、第１の定着部分３２０は、第２の加熱ロール表面温度制御センサ（ＳＴＳ  Ｃｏｎｔ  ＥＲ２）３２０ｆ、第２の加熱ロール保護センサ（ＳＴＳ  Ｏｖｅｒ  ＥＲ１）３２０ｇ、及び第１の搬送ロール表面温度主制御センサ（ＳＴＳ  Ｃｏｎｔ  ＩＲ）３２０ｈをも含んで構成されている。
【００６１】
なお、ＳＴＳとは、Ｓｅｎｓｏｒ  ｆｏｒ  ｍｅａｓｕｒｉｎｇ  Ｓｕｒｆａｃｅ  Ｔｅｍｐｅｒａｔｕｒｅのことであり、表面温度センサを意味する。また、ＳＴＳ  Ｃｏｎｔ  ＨＲは、ＳＴＳ  Ｃｏｎｔｒｏｌ  Ｈｅａｔ（Ｈａｌｏｇｅｎ）  Ｒｏｌｌの略であり、ヒートロールである定着ロール２０２の表面温度センサ（第１のメインヒータ２０４用）のことである。さらに、ＳＴＳ  Ｓｕｂ  ＨＲは、ＳＴＳ  Ｓｕｂ  Ｈｅａｔ（Ｈａｌｏｇｅｎ）  Ｒｏｌｌの略であり、ヒートロールである定着ロール２０２の表面温度センサ（第２のメインヒータ２０６用）のことである。また、ＳＴＳ  Ｏｖｅｒ  ＨＲは、ＳＴＳ  Ｏｖｅｒ  Ｈｅａｔ（Ｈａｌｏｇｅｎ）  Ｒｏｌｌの略であり、ヒートロールである定着ロール２０２（図２参照）のオーバーヒート防止用表面温度センサのことであるが、詳細には、定着ロールの熱によるオーバーヒートからの保護のための表面温度センサである。さらに、ＳＴＳ  Ｃｏｎｔ  ＥＲ１は、ＳＴＳ  Ｃｏｎｔｒｏｌ  Ｅｘｔｅｒｎａｌ  Ｒｏｌｌ（１）の略であり、定着ロールの外部にある第１の加熱ロール２１２の表面温度センサである。また、ＳＴＳ  Ｏｖｅｒ  ＥＲ１は、ＳＴＳ  Ｏｖｅｒ  Ｅｘｔｅｒｎａｌ  Ｒｏｌｌ（１）の略であり、定着ロール２０２（図２参照）の外部にある第１の加熱ロール２１２のオーバーヒート防止用表面温度センサのことであるが、詳細には、第１の加熱ロール２１２の熱によるオーバーヒートからの保護のための表面温度センサである。さらに、ＳＴＳ  Ｃｏｎｔ  ＥＲ２は、ＳＴＳ  Ｃｏｎｔｒｏｌ  Ｅｘｔｅｒｎａｌ  Ｒｏｌｌ（２）の略であり、定着ロールの外部にある第２の加熱ロール２２２の表面温度センサである。また、ＳＴＳ  Ｏｖｅｒ  ＥＲ２は、ＳＴＳ  Ｏｖｅｒ  Ｅｘｔｅｒｎａｌ  Ｒｏｌｌ（２）の略であり、定着ロール２０２の外部にある第２の加熱ロール２２２のオーバーヒート防止用表面温度センサのことであるが、詳細には、第２の加熱ロール２２２の熱によるオーバーヒートからの保護のための表面温度センサである。さらに、ＳＴＳ  Ｃｏｎｔ  ＩＲは、ＳＴＳ  Ｃｏｎｔｒｏｌ  Ｉｎｔｅｒｎａｌ（Ｉｎｆｒａｒｅｄ）  Ｒｏｌｌの略であり、第１の搬送ロール２１１の表面温度センサのことである。そして、環境ＳＮＲ３４０とは、Ｓ／Ｎ比と呼ばれ、所定の環境下における信号に対するノイズの量を対数で表したものである。
【００６２】
また、環境ＳＮＲ３４０は制御部３１０と接続されており、環境ＳＮＲ３４０の出力側から制御部３１０の入力（ＩＮ）端子へ接続されており、第１の定着部分３２０も環境ＳＮＲ３４０と同様に制御部３１０の入力（ＩＮ）端子へ接続されている。
【００６３】
詳細には、第１の定着部分３２０においては、以下のように制御部３１０の入力（ＩＮＰＵＴ）側へ接続されている。
【００６４】
定着ロール表面温度主制御センサ３２０ａは、一方が制御部３１０と接続されており、他方が環境ＳＮＲ３４０の出力側から制御部３１０の入力（ＩＮ）端子へ接続されている。また、定着ロール表面温度副制御センサ３２０ｂ、定着ロール保護センサ３２０ｃ、第１の加熱ロール表面温度制御センサ３２０ｄ、第１の加熱ロール保護センサ３２０ｅ、第２の加熱ロール表面温度制御センサ３２０ｆ、第２の加熱ロール保護センサ３２０ｇ、及び第１の搬送ロール表面温度主制御センサ３２０ｈも、それぞれ一方が制御部３１０と接続されており、他方が環境ＳＮＲ３４０の出力側から制御部３１０の入力（ＩＮ）端子へ接続されている。
【００６５】
制御部３１０の出力（ＯＵＴＰＵＴ）側では、Ｆｕｓｅｒ（２）３３０、定着部継電器３５０で構成されて、構成されている。また、制御部３１０とＦｕｓｅｒ（２）３３０の間に、第１の半導体リレー３６０ａ（ＨＲ  Ｍａｉｎ  Ｌａｍｐ  ＳＳＲ）及び第１の交流電源３７０ａが接続されて、構成されている。さらに、第２の半導体リレー３６０ｂ（ＨＲ  Ｓｕｂ  Ｌａｍｐ  ＳＳＲ）及び第２の交流電源３７０ｂが接続されて、構成されている。また、第３の半導体リレー３６０ｃ（ＥＲ  Ｌａｍｐ  ＳＳＲ）及び第３の交流電源３７０ｃが接続されて、構成されている。さらに、第４の半導体リレー３６０ｄ（ＩＲ  Ｌａｍｐ  ＳＳＲ）及び第４の交流電源３７０ｄが接続されて、構成されている。
【００６６】
また、定着部１６０に内蔵されているＦｕｓｅｒ（２）３３０は、第２の定着部分３３０とも呼び、第１のメインヒータ（ＨＲ  Ｍａｉｎ  Ｌａｍｐ）２０４（図２参照）、及び第２のメインヒータ（ＨＲ  Ｓｕｂ  Ｌａｍｐ）２０６（図２参照）を含んで構成されている。
【００６７】
さらに、第２の定着部分３３０は、第１のサブヒータ（ＥＲ  Ｌａｍｐ１）２１４（図２参照）、第２のサブヒータ（ＥＲ  Ｌａｍｐ２）２２４（図２参照）、及びＩＲヒータ（ＩＲ  Ｌａｍｐ）２５４（図２参照）も含んで構成されている。
【００６８】
なお、ＳＳＲとは、Ｓｏｌｉｄ  Ｓｔａｔｅ  Ｒｅｌａｙのことであり、半導体リレー（半導体継電器とも言う）のことである。また、ＨＲ  Ｍａｉｎ  Ｌａｍｐ  ＳＳＲは、Ｈｅａｔ（Ｈａｌｏｇｅｎ）  Ｒｏｌｌ  Ｍａｉｎ  Ｌａｍｐ  ＳＳＲの略であり、ヒートロールである定着ロール２０２（図２参照）の半導体リレー（メイン用）のことである。さらに、ＨＲ  Ｓｕｂ  Ｌａｍｐ  ＳＳＲは、Ｈｅａｔ（Ｈａｌｏｇｅｎ）  Ｒｏｌｌ  Ｓｕｂ  Ｌａｍｐ  ＳＳＲの略であり、ヒートロールである定着ロール２０２（図２参照）の半導体リレー（サブ用）のことである。また、ＥＲ  Ｌａｍｐ  ＳＳＲは、Ｅｘｔｅｒｎａｌ  Ｒｏｌｌ  Ｌａｍｐ  ＳＳＲの略であり、定着ロール２０２（図２参照）の外部にある第１の加熱ロール２１２（図２参照）及び第２の加熱ロール２２２（図２参照）の半導体リレーのことである。詳細には、第１の加熱ロール２１２（図２参照）に内蔵されている第１のサブヒータ２１４（図２参照）、及び第２の加熱ロール２２２（図２参照）に内蔵されている第２のサブヒータ２２４を同時に動作させるための半導体リレーである。
【００６９】
さらに、ＩＲ  Ｌａｍｐ  ＳＳＲは、Ｉｎｔｅｒｎａｌ（Ｉｎｆｒａｒｅｄ）  Ｒｏｌｌ  Ｌａｍｐ  ＳＳＲの略であり、搬送部２４０（図２参照）の内部にあり、赤外線ヒータを内蔵させた第１の搬送ロール２５２（図２参照）の半導体リレーである。
【００７０】
そして、第１の交流電源３７０ａはヒータを点けるための交流電源であり、２００Ｖの交流の電源電圧（ＡＣ２００Ｖ）を用いてメインヒータ２０４（図２参照）を稼動させる。また、第２の交流電源３７０ｂも、ヒータを点けるための交流電源であり、２００Ｖの交流の電源電圧（ＡＣ２００Ｖ）を用いてサブヒータ２０６（図２参照）を稼動させる。さらに、第３の交流電源３７０ｃも、ヒータを点けるための交流電源であり、２００Ｖの交流の電源電圧（ＡＣ２００Ｖ）を用いて第１のサブヒータ２１４（図２参照）及び第２のサブヒータ２２４（図２参照）を稼動させる。また、第４の交流電源３７０ｄも、ヒータを点けるための交流電源であり、２００Ｖ〜２４０Ｖの交流の電源電圧（ＡＣ２００Ｖ〜ＡＣ２４０Ｖ）を用いてＩＲヒータ２５４（図２参照）を稼動させる。
【００７１】
そして、制御部３１０の出力（ＯＵＴ）端子から定着部継電器３５０へ接続されている。
【００７２】
さらに、制御部３１０の出力（ＯＵＴ）端子と第１の半導体リレー３６０ａの一方の入力側が接続されると共に、制御部３１０と第１の半導体リレー３６０ａの他方とが接続されている。また、第１の半導体リレー３６０ａの一方と第２の定着部分３３０の第１のメインヒータ２０４（図２参照）とが第１の交流電源３７０ａを介して接続されると共に、第１の半導体リレー３６０ａの他方と第２の定着部分３３０の第１のメインヒータ２０４（図２参照）とが接続されている。
【００７３】
また、制御部３１０の出力（ＯＵＴ）端子と第２の半導体リレー３６０ｂの一方の入力側が接続されると共に、制御部３１０と第２の半導体リレー３６０ｂの他方とが接続されている。さらに、第２の半導体リレー３６０ｂの一方と第２の定着部分３３０の第２のメインヒータ２０６（図２参照）とが第２の交流電源３７０ｂを介して接続されると共に、第２の半導体リレー３６０ｂの他方と第２の定着部分３３０の第２のメインヒータ２０６（図２参照）とが接続されている。
【００７４】
さらに、制御部３１０の出力（ＯＵＴ）端子と第３の半導体リレー３６０ｃの一方の入力側が接続されると共に、制御部３１０と第３の半導体リレー３６０ｃの他方とが接続されている。また、第３の半導体リレー３６０ｃの一方と第２の定着部分３３０の第２のサブヒータ２２４（図２参照）が第３の交流電源３７０ｃを介して接続されると共に、第３の半導体リレー３６０ｃの他方と第２の定着部分３３０の第１のサブヒータ２１４（図２参照）とが接続されている。
【００７５】
また、制御部３１０の出力（ＯＵＴ）端子と第４の半導体リレー３６０ｄの一方の入力側が接続されると共に、制御部３１０と第４の半導体リレー３６０ｄの他方とが接続されている。さらに、第４の半導体リレー３６０ｄの一方と第２の定着部分３３０のＩＲヒータ２５４（図２参照）が第４の交流電源３７０ｄを介して接続されると共に、第４の半導体リレー３６０ｄの他方と第２の定着部分３３０のＩＲヒータ２５４（図２参照）と接続されている。
【００７６】
以下、この定着部１６０の制御ブロック図３００の動作を説明する。
【００７７】
まず、環境ＳＮＲ３４０からの周囲の環境情報であり、ノイズ情報とも言える第１のセンサ情報が制御部３１０の入力（ＩＮ）端子に入力される。この第１のセンサ情報に基づいて、制御部３１０の出力（ＯＵＴ）端子に定着部継電器３５０へ情報を出力する。
【００７８】
また、定着ロール表面温度主制御センサ３２０ａ及び定着ロール保護センサ３２０ｃから制御部３１０へ第２のセンサ情報が入力され、その第２のセンサ情報を基に、第１の半導体リレー３６０ａ及び第１の交流電源３７０ａを介して第１のメインヒータ２０４（図２参照）が制御される。
【００７９】
さらに、定着ロール表面温度副制御センサ３２０ｂ及び定着ロール保護センサ３２０ｃからも制御部３１０へ第３のセンサ情報が入力され、その第３のセンサ情報を基に、第２の半導体リレー３６０ｂ及び第２の交流電源３７０ｂを介して第２のメインヒータ２０６（図２参照）が制御される。
【００８０】
また、第１の加熱ロール表面温度制御センサ３２０ｄ、第１の加熱ロール保護センサ３２０ｅ、第２の加熱ロール表面温度制御センサ３２０ｆ、及び第２の加熱ロール保護センサ３２０ｇから制御部３１０へ第４のセンサ情報が入力される。そして、その第４のセンサ情報を基に、第３の半導体リレー３６０ｃ及び第３の交流電源３７０ｃを介して第１のサブヒータ２１４（図２参照）及び第２のサブヒータ２２４（図２参照）が制御される。
【００８１】
さらに、第１の搬送ロール表面温度主制御センサ３２０ｈからも制御部３１０へ第５のセンサ情報が入力され、その第５のセンサ情報を基に、第４の半導体リレー３６０ｄ及び第４の交流電源３７０ｄを介してＩＲヒータ２５４（図２参照）が制御される。
【００８２】
図４は、本実施の形態に係る図２における定着部１６０の機能ブロック図４００である。
【００８３】
まず、画像形成装置１００（図１参照）に電源を投入されると電源が投入されたことを示す電源投入情報が電源管理部４０４に入力され、電源管理部４０４は、画像形成装置１００（図１参照）の各部に電源が供給されたことを示す電源投入情報をメインヒータ制御部４０６及びサブヒータ制御部４０８に送信する。なお、メインヒータ制御部４０６では、定着ロール２０２（図２参照）に内蔵されて、第１のメインヒータ２０４（図２参照）及び第２のメインヒータ２０６（図２参照）を制御する。また、サブヒータ制御部４０８では、第１の加熱ロール２１２（図２参照）に内蔵されている第１のサブヒータ２１４（図２参照）、及び第２の加熱ロール２２２（図２参照）に内蔵されている第２のサブヒータ２２４（図２参照）を制御する。
【００８４】
なお、第１のメインヒータ２０４（図２参照）、及び第２のメインヒータ２０６（図２参照）をメインヒータと総称する。また、第１のサブヒータ２１４（図２参照）、及び第２の加熱ロール２２２（図２参照）をサブヒータと総称する。さらに、第１の加熱ロール２１２（図２参照）、及び第２の加熱ロール２２２（図２参照）を加熱ロールと総称する。
【００８５】
電源投入情報を受信したメインヒータ制御部４０６は、メインヒータが稼動している状態を示すメインヒータ稼動情報を定着ロール通電制御部４１０に送信する。なお、定着ロール通電制御部４１０は、定着ロール２０２（図２参照）に通電させることによって、定着ロール２０２（図２参照）を稼動させて所定温度（１８０℃前後）まで加熱させる制御を行う。
【００８６】
メインヒータ稼動情報を受信した定着ロール通電制御部４１０は、定着ロールにどのくらいの電流及び電圧等がかけられているかを示す定着ロール通電情報を定着ロール温度制御部４１４へ送信する。なお、定着ロール温度制御部４１４では、定着ロール２０２（図２参照）に通電したことによって定着ロール２０２（図２参照）の温度が上昇させ、通電していなければ定着ロール２０２（図２参照）の温度は一定を保つか、下降というように変動する温度の制御を行う。
【００８７】
定着ロール温度制御部４１４は、受信した定着ロール通電情報を基に、定着ロール２０２（図２参照）の温度を示す定着ロール温度情報を、定着ロールモード制御部４１８及び印刷指示部４２４へ送信する。なお、定着ロールモード制御部４１８では、定着ロール２０２（図２参照）を各種のモード設定によって、定着ロール２０２（図２参照）の状態を変更するために温度の制御を行う。
【００８８】
例えば、画像形成装置１００（図１参照）を起動する際に入るウォームアップモード（Ｗａｒｍ  Ｕｐモード）６２４、６３６（図６参照）、画像形成装置１００（図１参照）の稼動準備ができた際に入るレディーモード（Ｒｅａｄｙモード）６２６、６３８、６３０、６４２（図６参照）、印刷処理を行う印刷処理モード６２８、６４０（図６参照）、及び印刷装置の電源を抑制し、待機させるための待機モード６３２、６４４（図６参照）等がある。なお、それぞれの各モードの設定は所定時間、外部等からの操作等によっても定めることができる。
【００８９】
印刷指示部４２４では、文字データ（情報）、画像データ（情報）、又は文字画像データ（情報）等を含む印刷データ情報が有るか否かの情報を示す印刷データ有無情報を定着ロールモード制御部４１８及び加熱ロールモード制御部４２０へ送信する。
【００９０】
印刷データ情報は、印刷データ取得部４０２によって、外部又は画像読取部１０２（図１参照）から取得し、印刷指示部４２４へ直接送信する。
【００９１】
定着ロール温度情報及び印刷データ有無情報を受信した定着ロールモード制御部４１８は、画像形成装置１００（図１参照）における定着ロール２０２（図２参照）の各モード設定を示した定着ロールモード情報を定着ロール通電制御部４１０に送信する。そこで、定着ロール通電制御部４１０は、定着ロールモード情報を基に、通電を制御し、各モード設定に合わせた定着ロール２０２（図２参照）の温度に合うように制御する。また、その制御された定着ロール通電情報を基に、定着ロール温度制御部４１４が定着ロール温度情報を定着ロールモード制御部４１８及び印刷指示部４２４へ送信する。
【００９２】
電源投入情報を受信したサブヒータ制御部４０８は、サブヒータの稼動状態を示すサブヒータ稼動情報を加熱ロール通電制御部４１２へ送信する。なお、加熱ロール通電制御部４１２では、加熱ロールに通電させることによって、加熱ロールを稼動させて所定温度まで加熱させる制御を行う。
【００９３】
サブヒータ稼動情報を受信した加熱ロール通電制御部４１２は、加熱ロールにどのくらいの電流及び電圧等がかけられているかを示す加熱ロール通電情報を加熱ロール温度制御部４１６及び加熱ロール動作制御部４２２へ送信する。なお、加熱ロール温度制御部４１６では、加熱ロールに通電したことによって加熱ロールの温度が上昇させ、通電していなければ加熱ロールの温度は一定を保つか、下降させる、というように変動する温度の制御を行う。また、加熱ロール動作制御部４２２では、加熱ロール通電情報、及び加熱ロールのモード設定（定着ロールモード制御部４１８による定着ロールモード情報と同様）を示す加熱ロールモード情報を基に、第１の加熱ロール２１２（図２参照）及び第２の加熱ロール２２２（図２参照）を定着ロール２０２（図２参照）から接触、又は離間させる動作を行う。
【００９４】
加熱ロール通電情報を受信した加熱ロール温度制御部４１６は、受信した加熱ロール通電情報を基に、加熱ロールの温度を示す加熱ロール温度情報を、加熱ロールモード制御部４２０及び印刷指示部４２４へ送信する。なお、加熱ロールモード制御部４２０では、加熱ロールを各モード設定によって、加熱ロールの状態を変更するために温度の制御を行う。また、モード設定に関しては、ウォームアップモード６２４、６３６（図６参照）、レディーモード６２６、６３８、６３０、６４２（図６参照）、印刷処理モード６２８、６４０（図６参照）、及び待機モード６３２、６４４（図６参照）は、定着ロールモード制御部４１８と全く同様である。
【００９５】
加熱ロール温度情報及び印刷データ有無情報を受信した加熱ロールモード制御部４２０は、加熱ロールにおけるモード設定の情報を示す加熱ロールモード情報を、加熱ロール動作制御部４２２及び加熱ロール通電制御部４１２へ送信する。
【００９６】
そこで、加熱ロールモード情報を基に、加熱ロール通電制御部４１２は、通電を制御し、各モードに合わせた加熱ロールの温度に合うように制御する。また、その制御された加熱ロール通電情報を、加熱ロール温度制御部４１６及び加熱ロール動作制御部４２２へ送信する。さらに、加熱ロール動作制御部４２２が、受信した制御された加熱ロール通電情報を基に、加熱ロール動作情報を加熱ロール温度制御部４１６へ送信する。そして、加熱ロール温度制御部４１６が加熱ロール温度情報を加熱ロールモード制御部４２０及び印刷指示部４２４へ送信する。
【００９７】
印刷データ情報、定着ロール温度情報、及び加熱ロール温度情報を基にして始めて、印刷指示部４２４は画像形成部１０４（図１参照）へ印刷データ情報、及び印刷を指示する命令を示す印刷指示情報を送信して、画像形成部１０４（図１参照）に印刷データ情報を印刷させる。
【００９８】
以下、本実施の形態の作用を説明する。
【００９９】
図５は、本実施の形態に係る図２における定着部１６０の全体制御のフローチャート５００である。
【０１００】
ステップ５０２では、定着ロール２０２（図２参照）及び加熱ロールへ電源を投入する。詳細には、画像形成装置１００（図１参照）の電源を投入すれば、定着ロール２０２（図２参照）、第１の加熱ロール２１２（図２参照）、及び第２の加熱ロール２２２（図２参照）に電源が投入される。
【０１０１】
ステップ５０４では、定着ロール２０２（図２参照）及び加熱ロールへの通電による温度が上昇する。詳細には、画像形成装置１００（図１参照）の電源を投入し、定着ロール２０２（図２参照）、第１の加熱ロール２１２（図２参照）、及び第２の加熱ロール２２２（図２参照）へ通電すれば、定着ロール２０２（図２参照）、第１の加熱ロール２１２（図２参照）、及び第２の加熱ロール２２２（図２参照）は加熱し、温度上昇する。
【０１０２】
ステップ５０６では、加熱ロールが定着ロール２０２（図２参照）へ接触する。詳細には、第１の加熱ロール２１２（図２参照）及び第２の加熱ロール２２２（図２参照）が通電して、温度が上昇すれば、定着ロール２０２（図２参照）へ接触する動作を行う（移動して定着ロール２０２へ加熱ロールが接触する）。
【０１０３】
ステップ５０８では、加熱ロールの温度が第１のＲｅａｄｙ（レディー）温度よりも大きいかどうかを判定する。加熱ロールの温度が第１のレディー温度よりも大きければステップ５１０へ進み、小さければステップ５０８へ戻ってやり直して繰り返す。詳細には、第１の加熱ロール２１２（図２参照）及び第２の加熱ロール２２２（図２参照）の温度が第１のレディー温度（図６に示しているＲｅａｄｙモード６３８、６４２の状態で定められた加熱ロールの所定温度）である２００℃前後まで上昇したか否かの判定を行う。
【０１０４】
ステップ５１０では、定着ロール２０２（図２参照）の温度が第２のＲｅａｄｙ（レディー）温度よりも大きいかどうかを判定する。定着ロール２０２（図２参照）の温度が第２のレディー温度よりも大きければステップ５１２へ進み、小さければステップ５１０へ戻ってやり直して繰り返す。詳細には、定着ロール２０２（図２参照）の温度が第２のレディー温度（図６に示しているＲｅａｄｙモード６２６、６３０の状態で定着ロール２０２（図２参照）の定められた所定温度）である１８０℃前後まで上昇したか否かの判定を行う。
【０１０５】
なお、第１のレディー温度は、加熱ロールモードにおけるＲｅａｄｙモード６３８、６４２（図６参照）の状態で定められた加熱ロールの所定温度を示し、第２のレディー温度は、定着ロールモードにおけるＲｅａｄｙモード６２６、６３０（図６参照）の状態で定着ロール２０２（図２参照）の定められた所定温度を示している。従って、定着ロール２０２よりも小さいため加熱されやすい加熱ロールにおける第１のレディー温度と、加熱ロールよりも大きく加熱されにくい定着ロール２０２における第２のレディー温度との関係は、第１のレディー温度（２００℃前後）＞第２のレディー温度（１８０℃前後）である。
【０１０６】
ステップ５１２では、印刷データがあるかどうかを判定する。もし、印刷データがあれば、ステップ５１４へ進み、印刷データがなければステップ５２０へ進む。詳細には、印刷データがあるか否かでモード設定を行い、印刷処理モード（図６参照）に移るか、印刷処理の準備状態であるＲｅａｄｙモード（図６参照）に移るか、待機状態である電流及び電圧を抑えることにより温度を抑制した状態である待機モード（図６参照）に移るかの判定を行う。
【０１０７】
なお、印刷するためのデータを受信して、トナー像が現像された記録媒体１３８（図２参照）が搬送されたとき、所定の基準位置における記録媒体１３８（図２参照）の搬送タイミングに基づいて、加熱ロールの温度を制御し、動作も制御する。詳細には、トナー像が現像された記録媒体１３８（図２参照）が搬送されたときに、各種センサ（長さ寸法検出センサ２４（図１参照）及び幅寸法検出センサ２６（図１参照）等）で記録媒体１３８の先端部等を検知し、その部分を所定の基準位置として、記録媒体１３８（図２参照）の搬送タイミングを検知する。それに基づいて、加熱ロールの温度を制御し、動作も制御する。
【０１０８】
また、印刷するためのデータを受信して、トナー像が現像された記録媒体１３８（図２参照）が搬送されたとき、記録媒体１３８（図２参照）の種類に応じて、加熱ロールの温度を制御し、動作も制御する。詳細には、トナー像が現像された記録媒体１３８（図２参照）が搬送されたときに、記録媒体１３８（図２参照）の種類に応じて、加熱ロールの温度を制御し、動作も制御する。例えば、記録媒体１３８（図２参照）の大きさ、枚数、厚み、及び記録媒体の種類（普通紙、コート紙、光沢紙、印画紙等）等によって、加熱ロールの温度を制御し、動作も制御する。
【０１０９】
ステップ５１４では、印刷指示を画像形成部１０４（図１参照）へ送信する。詳細には、印刷データを印刷するために画像形成部１０４（図１参照）へ印刷データ、及び印刷指示（印刷命令）を画像形成部１０４（図１参照）へ送信する。
【０１１０】
ステップ５１６では、印刷処理（画像形成処理）を行う。詳細には、ステップ５１４で送信された印刷データ及び印刷指示を基に、画像形成部１０４（図１参照）が印刷データの印刷を行う。
【０１１１】
ステップ５１８では、印刷処理が終了したか否かの判定を行う。印刷終了したのならばステップ５１２へ進み、印刷が終了していないならばステップ５１６へ戻って印刷処理を繰り返す。詳細には、印刷処理が終了して、印刷データ及び印刷指示もないのならば、ステップ５１２へ進み、印刷データがあるか否かを判定させ、印刷データ及び印刷指示があるのならばステップ５１６へ戻って印刷処理を続ける。
【０１１２】
ステップ５２０では、第１のレディー温度に達してからの時間が所定の時間Ｔ１よりも大きいかどうかの判定を行う。もし、第１のレディー温度に達してからの時間が所定時間Ｔ１よりも大きいのならば、ステップ５２４へ進み、大きくないのであればステップ５２２へ進む。詳細には、第１の加熱ロール２１２（図２参照）及び第２の加熱ロール（図２参照）が第１のレディー温度（図６のレディーモード６３８、６４２のときの２００℃前後の温度）に達してからの時間が所定時間Ｔ１（図６の第１の所定時間６４６を指す）よりも大きいかどうかの判定を行う。第１の加熱ロール２１２（図２参照）及び第２の加熱ロール（図２参照）が、所定時間Ｔ１の間、第１のレディー温度を保持していたならば、待機モードを移行するためにステップ５２４へ進み、第１のレディー温度を、所定時間Ｔ１の間、保持し続けていないならば（まだ所定時間Ｔ１たっていない場合）、レディー温度を維持するためにステップ５２２へ進む。そして、所定時間Ｔ１は、請求項２に記載の所定時間に対応している。
【０１１３】
ステップ５２２では、第２のレディー時間に達してからの時間が、所定時間Ｔ２よりも大きいかどうかの判定を行う。詳細には、定着ロール２０２（図２参照）が第２のレディー温度（図６のレディーモード６２６、６３０のときの１８０℃前後の温度）に達してからの時間が所定時間Ｔ２（図６の第２の所定時間６３４を指す）よりも大きいかどうかの判定を行う。定着ロール２０２（図２参照）が、第２のレディー温度を、所定時間Ｔ２の間、保持し続けていたならば、待機モードを移行するためにステップ５２４へ進み、所定時間Ｔ２の間、第２のレディー温度を保持していないならば（まだ所定時間Ｔ２たっていない場合）、レディー温度を維持するためにステップ５１２へ進む。そして、所定時間Ｔ２も、請求項２に記載の所定時間に対応している。
【０１１４】
なお、所定時間Ｔ１は、加熱ロールが第１のレディー温度（２００℃前後）を維持する時間であり、図６においての第１の所定時間６４６を示している。また、所定時間Ｔ２は、定着ロール２０２が第２のレディー温度（１８０℃前後）を維持する時間であり、図６においての第２の所定時間６３４を示している。そして、加熱ロールは、定着ロール２０２よりも物理的に小さいので、加熱されやすく、温度上昇しやすいが、定着ロール２０２は、加熱ロール比べて大きいため、加熱されにくく、温度上昇しにくい。従って、加熱ロールが第１のレディー温度に達するまでの時間は、定着ロール２０２が第２のレディー温度に達するまでの時間よりも短時間であるため、所定時間Ｔ１と所定時間Ｔ２との関係は、所定時間Ｔ１＜所定時間Ｔ２となる。
【０１１５】
ステップ５２４では、加熱ロールから離間する。詳細には、定着部１６０（図１参照）の加熱ロールが待機モード（図６参照）に入ったので、第１の加熱ロール２１２（図２参照）及び第２の加熱ロール（図２参照）が、定着ロール２０２（図２参照）から離間する（離れる）。詳細には、図２に示すように、第１の加熱ロール２１２（図２参照）を矢印Ｂ方向に対し、定着ロール２０２から離れる方向へ移動して離間し、第２の加熱ロール（図２参照）を矢印Ｃ方向に対し、定着ロール２０２から離れる方向へ移動して離間する。
【０１１６】
ステップ５２６では、加熱ロールの通電を抑制する。詳細には、第１の加熱ロール２１２（図２参照）及び第２の加熱ロール２２２（図２参照）の通電を抑制することによって、温度を下降させ待機モードへ移行させる。
【０１１７】
ステップ５２８では、定着ロール２０２（図２参照）の通電を抑制する。詳細には、定着ロール２０２（図２参照）の通電を抑制することによって、温度を下降させ待機モードへ移行させる。
【０１１８】
ステップ５３０では、印刷データがあるかどうかの判定を行う。印刷データがあるのであれば、ステップ５０４へ進み、印刷データがないのであれば、ステップ５２４へ進む。詳細には、ステップ５２４で、第１の加熱ロール２１２（図２参照）及び第２の加熱ロール（図２参照）を定着ロール２０２（図２参照）から離間させ、全てのロール（定着ロール２０２及び加熱ロール）の通電を抑制し、温度を下げて待機モードへ設定している。そこで、印刷データがあるのであれば、レディー温度（定着ロール２０２ならば１８０℃前後、加熱ロールならば２００℃前後）へ復帰させるためにステップ５０４へ進み、ウォームアップモード（図６参照）からレディーモード（図６参照）へモード変更させて、レディー温度まで温度を上昇させて印刷処理を行う準備を行う。しかし、印刷データがないのであれば、待機モードを維持するために、ステップ５２４へ進み、第１の加熱ロール２１２（図２参照）及び第２の加熱ロール（図２参照）を定着ロール２０２（図２参照）から離し、全てのロールの通電を抑制し、温度を下げて待機モードを維持させる。簡単に述べると、加熱ローラによる温度制御が必要ないときには、所定時間画像形成処理（図６の印刷処理モード６２８、６４０における処理）が行われないときから、次の画像形成処理の開始が確認されるまで、待機モード期間（図６の待機モード６３２、６４４の期間）となる。
【０１１９】
なお、ステップ５０２からステップ５０６まではウォームアップモード（図６に示すＷａｒｍ  Ｕｐモード）６２４、６３６（図６参照）である。また、ステップ５０８からステップ５１２まではレディーモード（図６に示すＲｅａｄｙモード）６２６、６３８、ステップ５２０からステップ５２２まではレディーモード（図６に示すＲｅａｄｙモード）６３０、６４２（図６参照）である。さらに、ステップ５１４からステップ５１８までは印刷処理モード６２８、６４０（図６参照）である。そして、ステップ５２４からステップ５３０までは待機モード（図６参照）である。
【０１２０】
また、印刷するためのデータ（文字データ、画像データ、文字画像データ等）を受信して、トナー像が現像された記録媒体１３８（図２参照）が搬送されたとき、所定の基準位置における記録媒体１３８（図２参照）の搬送タイミングに基づいて、加熱ロールの温度を制御し、動作も制御する。
【０１２１】
さらに、印刷するためのデータを受信して、トナー像が現像された記録媒体１３８（図２参照）が搬送されたとき、記録媒体１３８（図２参照）の種類に応じて、加熱ロールの温度を制御し、動作も制御する。例えば、記録媒体１３８（図２参照）の大きさ、枚数、厚み、記録媒体の種類等によって、加熱ロールの温度を制御し、動作も制御する。
【０１２２】
図６は、本実施の形態に係る図２における定着部１６０の加熱ロール物理的動作（接触、離間動作）６０２、定着ロール通電動作６０４、定着ロールモード６０６、加熱ロール通電制御６０８、及び加熱ロールモード６１０を示した波形図６００である。
【０１２３】
まず、電源投入時の第１のタイミング６１２から第２のタイミング６１６の間では、以下のように動作する。
【０１２４】
加熱ロール物理動作６０２の波形は立ち上がる。詳細には、第１の加熱ロール２１２（図２参照）及び第２の加熱ロール２２２（図２参照）を移動させて、定着ロール２０２（図２参照）に接触させる。また、定着ロール通電制御の波形６０４も立ち上がってオン状態（通電状態）になる。さらに、定着ロールモード６０６は、定着ロール通電制御の波形６０４も立ち上がってオン状態になることにより、ウォームアップモード（Ｗａｒｍ  Ｕｐモード）６２４に入る（通電状態になるので定着ロール２０２が温度上昇し始める）。また、加熱ロール通電制御の波形６０８も立ち上がってオン状態になる。さらに、加熱ロールモード６１０は、加熱ロール通電制御の波形６０８も立ち上がってオン状態になることにより、ウォームアップモード（Ｗａｒｍ  Ｕｐモード）６３６に入る（通電状態になるので加熱ロールが温度上昇し始める）。
【０１２５】
次の第２のタイミング６１６から第３のタイミング６１４までの間では、以下のように動作する。
【０１２６】
加熱ロール物理動作６０２の波形は立ち上がったままである。詳細には、第１の加熱ロール２１２（図２参照）及び第２の加熱ロール２２２（図２参照）を定着ロール２０２（図２参照）に接触させたまま維持している。また、定着ロール通電制御の波形６０４も立ち上がってオン状態、又は立ち下がってオフ状態（非通電状態）になるのを繰り返す。さらに、定着ロールモード６０６は、定着ロール通電制御の波形６０４も立ち上がってオン状態、又は立ち下がってオフ状態になるのを繰り返すことにより、レディーモード（Ｒｅａｄｙモード）６２６に入る（定着ロール２０２の温度を準備状態の一定に保つために通電状態を制御する）。また、加熱ロール通電制御の波形６０８も立ち上がってオン状態、又は立ち下がってオフ状態になるのを繰り返す。さらに、加熱ロールモード６１０は、加熱ロール通電制御の波形６０８も立ち上がってオン状態、又は立ち下がってオフ状態になるのを繰り返すことにより、レディーモード（Ｒｅａｄｙモード）６３８に入る（第１の加熱ロール２１２（図２参照）及び第２の加熱ロール２２２（図２参照）の温度を準備状態の一定に保つために通電状態を制御する）。
【０１２７】
次の印刷開始の第３のタイミング６１４から第４のタイミング６１８までの間では、以下のように動作する。
【０１２８】
加熱ロール物理動作６０２の波形は立ち上がったままである。詳細には、第１の加熱ロール２１２（図２参照）及び第２の加熱ロール２２２（図２参照）を定着ロール２０２（図２参照）に接触させたまま維持している。また、定着ロール通電制御の波形６０４も立ち上がってオン状態が割合的に多いが、時折、立ち下がってオフ状態になるのを繰り返す。さらに、定着ロールモード６０６は、定着ロール通電制御の波形６０４も立ち上がってオン状態が割合的に多いが、時折、立ち下がってオフ状態になるのを繰り返すことにより、印刷処理モード６２８に入る（定着ロール２０２の温度を高めの印刷状態に保つために通電状態を制御する）。また、加熱ロール通電制御の波形６０８も立ち上がってオン状態が割合的に多いが、時折、立ち下がってオフ状態になるのを繰り返す。さらに、加熱ロールモード６１０は、加熱ロール通電制御の波形６０８も立ち上がってオン状態が割合的に多いが、時折、立ち下がってオフ状態になるのを繰り返すことにより、印刷処理モード６４０に入る（第１の加熱ロール２１２（図２参照）及び第２の加熱ロール２２２（図２参照）の温度を高めの印刷状態に保つために通電状態を制御する）。
【０１２９】
次の第４のタイミング６１８から第５のタイミング６２０の間では、以下のように動作する。
【０１３０】
加熱ロール物理動作６０２の波形は立ち上がったままである。詳細には、第１の加熱ロール２１２（図２参照）及び第２の加熱ロール２２２（図２参照）を定着ロール２０２（図２参照）に接触させたまま維持している。また、定着ロール通電制御の波形６０４も立ち上がってオン状態、立ち下がってオフ状態になるのを繰り返す。さらに、定着ロールモード６０６は、定着ロール通電制御の波形６０４も立ち上がってオン状態、立ち下がってオフ状態になるのを繰り返すことにより、レディーモード６３０に入る（定着ロール２０２の温度を準備状態の一定に保つために通電状態を制御する）。また、加熱ロール通電制御の波形６０８も立ち上がってオン状態、立ち下がってオフ状態になるのを繰り返す。さらに、加熱ロールモード６１０は、加熱ロール通電制御の波形６０８も立ち上がってオン状態、立ち下がってオフ状態になるのを繰り返すことにより、レディーモード６４２に入る（第１の加熱ロール２１２（図２参照）及び第２の加熱ロール２２２（図２参照）の温度を準備状態の一定に保つために通電状態を制御する）。
【０１３１】
次の第５のタイミング６２０から第６のタイミング６２２では、以下のように動作する。
【０１３２】
加熱ロール物理動作６０２の波形は立ち下がる。詳細には、第１の加熱ロール２１２（図２参照）及び第２の加熱ロール２２２（図２参照）を定着ロール２０２（図２参照）から離間させる。また、定着ロール通電制御の波形６０４も立ち上がってオン状態、立ち下がってオフ状態になるのを繰り返す。さらに、定着ロールモード６０６は、定着ロール通電制御の波形６０４も立ち上がってオン状態、立ち下がってオフ状態になるのを繰り返すことにより、レディーモード６３０のまま維持されている（定着ロール２０２の温度を準備状態の一定に保つために通電状態を制御する）。また、加熱ロール通電制御の波形６０８は立ち下がってオフ状態になる。さらに、加熱ロールモード６１０は、加熱ロール通電制御の波形６０８が立ち下がってオフ状態になることにより、待機モード６４４に移行する（第１の加熱ロール２１２（図２参照）及び第２の加熱ロール２２２（図２参照）の温度を待機状態にするために通電状態を抑制して温度を低下させる）。
【０１３３】
次の第６のタイミング６２２以降のタイミングでは、以下のように動作する。
【０１３４】
加熱ロール物理動作６０２の波形は立ち下がり続けている。詳細には、第１の加熱ロール２１２（図２参照）及び第２の加熱ロール２２２（図２参照）を定着ロール２０２（図２参照）から離間させる。また、定着ロール通電制御の波形６０４は立ち下がってオフ状態になる。さらに、定着ロールモード６０６は、定着ロール通電制御の波形６０４が立ち下がってオフ状態になることにより、待機モード６３２に移行する（定着ロール２０２の温度を待機状態にするために通電状態を停止させて温度を低下させる）。また、加熱ロール通電制御の波形６０８は立ち下がってオフ状態のまま維持する。さらに、加熱ロールモード６１０は、加熱ロール通電制御の波形６０８が立ち下がってオフ状態になることにより、待機モード６４４のまま維持する（第１の加熱ロール２１２（図２参照）及び第２の加熱ロール２２２（図２参照）の温度を待機状態にするために通電状態を停止させて温度を低下させる）。
なお、加熱ロールモード６１０におけるレディーモードの状態の時間である第１の所定時間６４６は、定着ロールモードのレディーモードの状態の時間である第２の所定時間６３４よりも短い時間である。その差は、第３の所定時間６４８の差が存在する。その理由としては、定着ロール２０２（図２参照）は、第１の加熱ロール２１２（図２参照）及び第２の加熱ロール（図２参照）よりも物理的に大きい。例え、定着ロール２０２（図２参照）に内蔵されているハロゲンランプのメインヒータ２０４及びサブヒータ２０６で温度を上げても、第１の加熱ロール２１２（図２参照）及び第２の加熱ロール２２２（図２参照）よりもそれぞれの定着ロール２０２及び加熱ロールの所定の温度になるまで時間がかかる。さらに、第１の加熱ロール２１２（図２参照）及び第２の加熱ロール（図２参照）は小さいので、第１のサブヒータ２１４及び第２のサブヒータ２２４で温度を上げれば、短時間で高温にすることが可能になる。
【０１３５】
従って、定着ロールモード６０６におけるレディーモード６３０の第２の所定時間６３４を、加熱ロールモード６１０におけるレディーモード６４２の第１の所定時間６４６よりも第３の所定時間６４８の分だけ多くとることで、次の印刷処理モード及び待機モードへの移行を柔軟に行うために、第３の所定時間６４８の分だけ時間差を置く。
【０１３６】
なお、定着ロールモード６０６におけるレディーモード６３０の第２の所定時間６３４、加熱ロールモード６１０におけるレディーモード６４２の第１の所定時間６４６、及び第２の所定時間６３４と第１の所定時間６４６との時間差である第３の所定時間６４８は、可変であり、画像形成装置１００（図１参照）の仕様に合わせて定めることができる。また、印刷処理モード６２８、６４０における定着ロール２０２及び加熱ロールの温度は、可変であり、画像形成装置１００（図１参照）の仕様及び印刷データの容量（印刷枚数にも対応する）及び質（画質等の解像度に対応する）によって定められる。さらに、ウォームアップモード６２４、６３６、レディーモード６１６、６３８、６３０、６４２、及び待機モード６３２、６４４における定着ロール２０２及び加熱ロールの温度は、可変であり、自由に定めてもよい（画像形成装置１００（図１参照）の仕様によって定めてもよい）。そして、各モード設定によって定められた各モードの温度による、各タイミング（第１のタイミング６１２、第２のタイミング６１６、第３のタイミング６１４、第４のタイミング６１８、第５のタイミング６２０、及び第６のタイミング６２２）は、可変であり、自由に定めてもよい（画像形成装置１００（図１参照）の仕様によって定めてもよい）。
【０１３７】
図７は、本実施の形態に係る図２における定着部１６０の制御プログラムの動作を示した機能ブロック図７００である。
【０１３８】
機能ブロック図７００は、クライアントＰＣ７０２、第１のネットワーク中継器７０４、ネットワーク７０６、第２のネットワーク中継器７０８、画像形成装置１００（図１参照）で構成されている。
【０１３９】
また、画像形成装置１００（図１参照）は、通信部７１０、情報処理部７１２、及び画像形成部１０４（図１参照）で構成されている。
【０１４０】
さらに、情報処理部７１２は、制御部３５０、画像読取部１０２、ＣＰＵ（Ｃｅｎｔｒａｌ  Ｐｒｏｃｅｓｓｉｎｇ  Ｕｎｉｔ）７１８、ＲＯＭ（Ｒｅａｄ  Ｏｎｌｙ  Ｍｅｍｏｒｙ）７２０、ＲＡＭ（Ｒａｎｄｏｍ  Ａｃｃｅｓｓ  Ｍｅｍｏｒｙ）７２２、ＨＤＤ（Ｈａｒｄ  Ｄｉｓｋ  Ｄｒｉｖｅ）７２４、及び印刷指示部４２４で構成されている。
【０１４１】
なお、制御部３５０は定着ロール制御部７１４及び加熱ロール制御部７１６を含んで構成されている。また、定着ロール制御部７１４は、メインヒータ制御部４０６（図４参照）、定着ロール通電制御部４１０（図４参照）、定着ロール温度制御部４１４（図４参照）、及び定着ロールモード制御部４１８の全てを含んでいる。さらに、加熱ロール制御部７１６は、サブヒータ制御部４０８（図４参照）、加熱ロール通電制御部４１２（図４参照）、加熱ロール温度制御部４１６（図４参照）、定着ロールモード制御部４２０、及び加熱ロール動作制御部４２２（図４参照）の全てを含んでいる。
【０１４２】
ＲＯＭ７２０は、読み出し専用の記憶装置であり、本願実施の形態では、図５のフローチャート及び説明を基にした処理プログラムが格納されている。
【０１４３】
ＲＡＭ７２２は、データの読み書きを高速で行うことが可能な記憶装置であり、本願実施の形態では、ＲＯＭ７２０に格納されたプログラムを実行するための作業領域として使用されている。
【０１４４】
ＨＤＤ７２４は、ＲＡＭ７２２よりも低速ではあるが、データの読み書きを行うことが可能で、記憶容量の大きな記憶装置であり、印刷データ取得部４０２（図４参照）において取得した画像データ等の大きな容量のデータを保存している。なお、ＲＯＭ７２０に格納されたプログラムを実行するための作業領域として使用されていてもよいし、制御を実行するためのプログラムを格納しておいてもよい。
【０１４５】
ＣＰＵ７１８は、中央処理装置であり、ＲＯＭ７２０に格納されたプログラム（図５のフローチャートの処理）を基にして、入力されたデータをＲＡＭ７２２又はＨＤＤ７２４を記憶領域である作業領域上でデータ処理を行う。
【０１４６】
制御部３５０は、画像読取部１０２、ＣＰＵ７１８、ＲＯＭ７２０、ＲＡＭ７２２、ＨＤＤ７２４、及び印刷指示部４２４のそれぞれのデータのやり取りを行うための仲介を行う。
【０１４７】
クライアントＰＣ７０２から送信されてきたデータ（文字データ、画像データ、文字画像データ、及び設定データ等）は、第１のネットワーク中継器７０４、ネットワーク７０６、及び第２のネットワーク中継器７０８を介して画像形成装置１００へ入力される。
【０１４８】
なお、第１のネットワーク中継器７０４、ネットワーク７０６、及び第２のネットワーク中継器７０８を介して送信されてきたデータを受信するのではなく、画像読取部１０２から読み取られた文字データ又は画像データを画像形成装置１００の情報処理部７１２に入力させてデータ処理（情報処理）を行わせてもよい。
【０１４９】
画像形成装置１００に入力されてきたデータは、通信部７１０を介して情報処理部７１２へ入力され、データ処理が行われる。詳細には、入力されてきたデータをＣＰＵ７１８が、ＲＯＭ７２０又はＨＤＤ７２４に格納されている処理プログラムに従って、ＲＡＭ７２２又はＨＤＤ７２４を作業領域及び記憶領域（記憶装置）として用いてデータ処理（情報処理）を行う。そして、クライアントＰＣ７０２からの印刷指示により、画像形成装置１００の情報処理部７１２の印刷指示部４２４から画像形成部１０４へ、印刷データ（図４の印刷データ情報に対応）及び印刷指示（図４の印刷指示情報に対応）が送信される。
【図面の簡単な説明】
【０１５０】
【図１】本実施の形態に係る画像形成装置の全体構成が示されている。
【図２】本実施の形態に係る図１の画像形成装置の定着部の詳細図である。
【図３】本実施の形態に係る図２における定着部の制御ブロック図である。
【図４】本実施の形態に係る図２における定着部の機能ブロック図である。
【図５】本実施の形態に係る図２における定着部の全体制御のフローチャートである。
【図６】本実施の形態に係る図２における定着部の加熱ロール物理的動作（接触、離間動作）、定着ロール通電動作、定着ロールモード、加熱ロール通電制御、及び加熱ロールモードを示した波形図である。
【図７】本実施の形態に係る図２における定着部の制御プログラムの動作を示した機能ブロック図である。
【符号の説明】
【０１５１】
２０２    定着ロール（定着ロール）
２０４    第１のメインヒータ（メインヒータ）
２０６    第２のメインヒータ（メインヒータ）
２０８    第１の表面温度センサ（外周面温度センサ）
２１２    第１の加熱ロール（加熱ロール）
２１４    第１のサブヒータ（サブヒータ）
２１８    第２の表面温度センサ（外周面温度センサ）
２２２    第２の加熱ロール（加熱ロール）
２２４    第２のサブヒータ（サブヒータ）
２２８    第３の表面温度センサ（外周面温度センサ）
２５８    第４の表面温度センサ（外周面温度センサ）
３１０    制御部（主温度制御手段、副温度制御手段）
４０６    メインヒータ制御部（主温度制御手段）
４０８    サブヒータ制御部（副温度制御手段）
４１０    定着ロール通電制御部（主温度制御手段）
４１２    加熱ロール通電制御部（副温度制御手段）
４１４    定着ロール温度制御部（主温度制御手段）
４１６    加熱ロール温度制御部（副温度制御手段）
４１８    定着ロールモード制御部（主温度制御手段）
４２０    加熱ロールモード制御部（副温度制御手段）
４２２    加熱ロール動作制御部（動作手段、加熱ロール移動制御手段）
６０２    加熱ロール物理的動作（動作手段、加熱ロール移動制御手段）
６０４    定着ロール通電制御（主温度制御手段）
６０６    定着ロールモード（主温度制御手段）
６０８    加熱ロール通電制御（副温度制御手段）
６１０    加熱ロールモード（副温度制御手段）
７１４    定着ロール制御部（主温度制御手段）
７１６    加熱ロール制御部（副温度制御手段）
【図１】
2009025743.tif 000003
【図２】
2009025743.tif 000004
【図３】
2009025743.tif 000005
【図４】
2009025743.tif 000006
【図５】
2009025743.tif 000007
【図６】
2009025743.tif 000008
【図７】
2009025743.tif 000009